(57)【要約】      （修正有）【課題】クロストークを低減できるボードツーボードのプラグコネクタ、ソケットコネクタ及びコネクタアセンブリを提供する。【解決手段】プラグコネクタは、絶縁本体１０と第１プラグ端子２０と第２プラグ端子３０とを包括する。絶縁本体は、底壁と第１側壁１３と第２側壁１５と２つの端壁１７とを包括し、２つの端壁が各々第１側壁及び第２側壁に連結し、挿設空間を画成する。第１側壁上に複数の第１プラグ端子組み込み位置を備え、第２側壁上に複数の第２プラグ端子組み込み位置を備え、かつ第１プラグ端子組み込み位置と第２プラグ端子組み込み位置が一対一で対応する。第１プラグ端子は、少なくとも一対の第１信号伝送プラグ端子２１を含む。第２プラグ端子は、少なくとも一対の第２信号伝送プラグ端子３１を含み、かつ第１信号伝送プラグ端子対と第２信号伝送プラグ端子対の端壁に平行する縦方向における位置が、平行移動される。【選択図】図１Ａ
0003219628.tif 000002
【実用新案登録請求の範囲】
【請求項１】
底壁と第１側壁と第２側壁と２つの端壁とを包括し、前記第１側壁及び前記第２側壁が各々前記底壁の２つの横方向側から前向きに延出し、前記２つの端壁が前記底壁の２つの縦方向側から前向きに延出し、前記第１側壁が前記第２側壁に対応し、前記２つの端壁が各々前記第１側壁及び前記第２側壁に連結し、挿設空間を画成し、前記第１側壁上に複数の第１プラグ端子組み込み位置を備え、前記第２側壁上に複数の第２プラグ端子組み込み位置を備え、かつ前記第１プラグ端子組み込み位置と前記第２プラグ端子組み込み位置が端壁に平行する縦方向上において一対一で対応している絶縁本体と、
各第１プラグ端子は、前記第１プラグ端子組み込み位置のうちのいずれかに組み込まれ、かつ前記第１プラグ端子が少なくとも一対の第１信号伝送プラグ端子を含み、前記第１信号伝送プラグ端子対が隣接して配列される複数の第１プラグ端子と、
各第２プラグ端子は、第２プラグ端子組み込み位置のうちのいずれかに組み込まれ、かつ前記第２プラグ端子が少なくとも一対の第２信号伝送プラグ端子を含み、前記第２信号伝送プラグ端子対が隣接して配列され、かつ前記第１信号伝送プラグ端子対と前記第２信号伝送プラグ端子対の前記第１側壁及び第２側壁に平行する横方向における位置が平行移動される複数の第２プラグ端子と、
を含むことを特徴とするプラグコネクタ。
【請求項２】
前記第２信号伝送プラグ端子対は、前記第１信号伝送プラグ端子対に対して前記横方向に沿って前記第２プラグ端子組み込み位置が１つずつ平行移動することを特徴とする請求項１に記載のプラグコネクタ。
【請求項３】
前記第２信号伝送プラグ端子対は、前記第１信号伝送プラグ端子対に対して前記横方向に沿って前記第２プラグ端子組み込み位置が２つずつ平行移動することを特徴とする請求項１に記載のプラグコネクタ。
【請求項４】
前記第１プラグ端子は、第１接地プラグ端子を更に含み、前記第１接地プラグ端子が前記第１信号伝送プラグ端子対の一側に位置することを特徴とする請求項１に記載のプラグコネクタ。
【請求項５】
前記第２プラグ端子は、第２接地プラグ端子を更に含み、前記第２接地プラグ端子が前記第２信号伝送プラグ端子対の一側に位置することを特徴とする請求項４に記載のプラグコネクタ。
【請求項６】
底板と第１側板と第２側板と舌板と２つの端板とを含み、前記第１側板及び前記第２側板は、各々前記底板の２つの横方向側から上向きに延出し、前記舌板が前記底板から上向きに延出し、かつ前記第１側板及び前記第２側板に平行となり、前記２つの端板が各々前記底板の２つの縦方向側から上向きに延出し、かつ各々前記第１側板及び前記第２側板に連結して組み込み空間を画成し、前記舌板が組み込み空間内に位置し、前記舌板の両側に各々複数の第１ソケット端子組み込み位置と複数の第２ソケット端子組み込み位置とを備え、前記端板に平行する縦方向上において前記第１ソケット端子組み込み位置及び前記第２ソケット端子組み込み位置が一対一で対応している絶縁基部と、
各第１ソケット端子は、前記第１ソケット端子組み込み位置のうちのいずれかに組み込まれ、前記第１ソケット端子が少なくとも一対の第１信号伝送ソケット端子を含み、前記第１信号伝送ソケット端子対が横方向に沿って隣接して配列される複数の第１ソケット端子と、
各第２ソケット端子は、第２ソケット端子組み込み位置のうちのいずれかに組み込まれ、前記第２ソケット端子が少なくとも一対の第２信号伝送ソケット端子を含み、前記第２信号伝送ソケット端子対が隣接して配列され、かつ前記第１信号伝送ソケット端子対と前記第２信号伝送ソケット端子対の前記前記横方向に沿う位置が平行移動される複数の第２プラグ端子と、
を含むことを特徴とするソケットコネクタ。
【請求項７】
前記第１側板及び前記第２側板に平行する横方向に沿い、前記第２信号伝送ソケット端子対は、前記第１信号伝送ソケット端子対に対して前記第２ソケット端子組み込み位置が１つずつ平行移動することを特徴とする請求項６に記載のソケットコネクタ。
【請求項８】
前記第１側板及び前記第２側板に平行する横方向に沿い、前記第２信号伝送ソケット端子対は、前記第１信号伝送ソケット端子対に対して前記第２ソケット端子組み込み位置が２つずつ平行移動することを特徴とする請求項６に記載のソケットコネクタ。
【請求項９】
前記第１ソケット端子は、第１接地ソケット端子を更に含み、前記第１接地ソケット端子が前記第１信号伝送ソケット端子対の一側に位置することを特徴とする請求項６に記載のソケットコネクタ。
【請求項１０】
前記第２ソケット端子は、第２接地ソケット端子を更に含み、前記第２接地ソケット端子が前記第２信号伝送ソケット端子対の一側に位置することを特徴とする請求項９に記載のソケットコネクタ。
【請求項１１】
底壁と第１側壁と第２側壁と２つの端壁とを包括し、前記第１側壁及び前記第２側壁が各々前記底壁の２つの横方向側から上向きに延出し、前記２つの端壁が前記底壁の２つの縦方向側から上向きに延出し、前記第１側壁が前記第２側壁に対応し、前記２つの端壁が各々前記第１側壁及び前記第２側壁に連結し、挿設空間を画成し、前記第１側壁上に複数の第１プラグ端子組み込み位置を備え、前記第２側壁上に複数の第２プラグ端子組み込み位置を備え、かつ前記第１プラグ端子組み込み位置と前記第２プラグ端子組み込み位置が端壁に平行する縦方向上において一対一で対応している絶縁本体と、各第１プラグ端子は、前記第１プラグ端子組み込み位置のうちのいずれかに組み込まれ、かつ前記第１プラグ端子が少なくとも一対の第１信号伝送プラグ端子を含み、前記第１信号伝送プラグ端子対が横方向に沿って隣接して配列される複数の第１プラグ端子と、各第２プラグ端子は、第２プラグ端子組み込み位置のうちのいずれかに組み込まれ、かつ前記第２プラグ端子が少なくとも一対の第２信号伝送プラグ端子を含み、前記第２信号伝送プラグ端子対が隣接して配列され、かつ前記第１信号伝送プラグ端子対と前記第２信号伝送プラグ端子対の前記横方向に沿う位置が平行移動される複数の第２プラグ端子と、を含むプラグコネクタと、
底板と第１側板と第２側板と舌板と２つの端板とを含み、前記第１側板及び前記第２側板は、各々前記底板の２つの横方向側から上向きに延出し、前記舌板が前記底板から上向きに延出し、かつ前記第１側板及び前記第２側板に平行となり、前記２つの端板が各々前記底板の２つの縦方向側から上向きに延出し、かつ各々前記第１側板及び前記第２側板に連結して組み込み空間を画成し、前記舌板が組み込み空間内に位置し、かつ前記舌板が前記挿設空間に対応し、前記舌板の両側に各々複数の第１ソケット端子組み込み位置と複数の第２ソケット端子組み込み位置とを備え、前記端板に平行する前記縦方向上において前記第１ソケット端子組み込み位置及び前記第２ソケット端子組み込み位置が一対一で対応している絶縁基部と、各第１ソケット端子は、前記第１ソケット端子組み込み位置のうちのいずれかに組み込まれ、前記第１ソケット端子が少なくとも一対の第１信号伝送ソケット端子を含み、前記第１信号伝送ソケット端子対が前記横方向に沿って隣接して配列される複数の第１ソケット端子と、各第２ソケット端子は、第２ソケット端子組み込み位置のうちのいずれかに組み込まれ、前記第２ソケット端子が少なくとも一対の第２信号伝送ソケット端子を含み、前記第２信号伝送ソケット端子対が隣接して配列され、かつ前記第１信号伝送ソケット端子対と前記第２信号伝送ソケット端子対の前記横方向に沿う位置は平行移動され、かつ前記第１信号伝送ソケット端子が前記第１信号伝送プラグ端子に対応し、前記第２信号伝送ソケット端子が前記第２信号伝送プラグ端子に対応している複数の第２プラグ端子と、を含むソケットコネクタと、
を包括することを特徴とするコネクタアセンブリ。
【請求項１２】
前記第２信号伝送プラグ端子対は、前記第１信号伝送プラグ端子対に対して前記第２プラグ端子組み込み位置が１つずつ平行移動し、前記第２信号伝送ソケット端子対は前記第１信号伝送ソケット端子対に対して前記第２ソケット端子組み込み位置が１つずつ平行移動することを特徴とする請求項１１に記載のコネクタアセンブリ。
【請求項１３】
前記第２信号伝送プラグ端子対は、前記第１信号伝送プラグ端子対に対して前記第２プラグ端子組み込み位置が２つずつ平行移動し、前記第２信号伝送ソケット端子対は前記第１信号伝送ソケット端子対に対して前記第２ソケット端子組み込み位置が２つずつ平行移動することを特徴とする請求項１１に記載のコネクタアセンブリ。
【考案の詳細な説明】
【技術分野】
【０００１】
本考案は、コネクタに関し、特に、ボードツーボードのプラグコネクタ、ソケットコネクタ及びコネクタアセンブリに関する。
【背景技術】
【０００２】
従来の３Ｃ電子製品は、益々軽薄短小化傾向にあり、携帯型電子機器の内部が常に異なる回路基板の間に電気的な接続を行わなければならず、電子機器の体積が小さくなると、内部空間も必ず相対的に狭くなるため、回路基板の間では通常ボードツーボード（Ｂｏａｒｄ  ｔｏ  Ｂｏａｒｄ、「ＢＴＢ」という）コネクタを利用して互いに電気的に接続させることで比較的良好な空間利用率を満たしている。
【０００３】
ボードツーボードコネクタは、コネクタセットであり、一般的に、このコネクタセットは、プラグコネクタと対応しているソケットコネクタとを含む。現在電子製品が益々軽薄短小化傾向にあり、端子間の距離が減少するため、クロストーク（ｃｒｏｓｓｔａｌｋ）の問題が増え、これにより、絶え間なくコネクタの構造改修、接地追加等の方式を通じて、クロストークの問題を減らさなければならない。
【考案の概要】
【考案が解決しようとする課題】
【０００４】
上記課題を解決するために、鋭意研究を重ねた結果、以下の考案を完成するに至った。
【課題を解決するための手段】
【０００５】
上記問題点に鑑み、本考案は、絶縁本体と複数の第１プラグ端子と複数の第２プラグ端子と、を包括するプラグコネクタを提供する。絶縁本体は、底壁と第１側壁と第２側壁と２つの端壁とを包括し、第１側壁及び第２側壁が各々底壁の２つの横方向側から上向きに延出し、２つの端壁が底壁の２つの縦方向側から上向きに延出し、第１側壁が第２側壁に対応し、２つの端壁が各々第１側壁及び第２側壁に連結し、挿設空間を画成する。第１側壁上に複数の第１プラグ端子組み込み位置を備え、第２側壁上に複数の第２プラグ端子組み込み位置を備え、かつ第１プラグ端子組み込み位置と第２プラグ端子組み込み位置が端壁に平行する縦方向上において一対一対応となっている。各第１プラグ端子は、第１プラグ端子組み込み位置のうちのいずれかに組み込まれ、かつ第１プラグ端子が少なくとも一対の第１信号伝送プラグ端子を含み、第１信号伝送プラグ端子対が横方向に沿って隣接して配列される。各第２プラグ端子は、第２プラグ端子組み込み位置のうちのいずれかに組み込まれ、かつ第２プラグ端子が少なくとも一対の第２信号伝送プラグ端子を含み、第２信号伝送プラグ端子対が隣接して配列され、かつ該第１信号伝送プラグ端子対と該第２信号伝送プラグ端子対の記横方向に沿う位置が平行移動される。
【０００６】
上記問題点に鑑み、本考案は、絶縁基部と複数の第１ソケット端子と複数の第２プラグ端子と、を包括するソケットコネクタを更に提供する。絶縁基部は、底板と第１側板と第２側板と舌板と２つの端板とを含む。第１側板及び第２側板は、各々底板の２つの横方向側から上向きに延出し、舌板が底板から上向きに延出し、かつ第１側板及び第２側板に平行となり、２つの端板が底板の２つの縦方向側から延出し、かつ各々第１側板及び第２側板に連結して組み込み空間を画成し、舌板が組み込み空間内に位置し、舌板の両側に各々複数の第１ソケット端子組み込み位置と複数の第２ソケット端子組み込み位置とを備え、それら端板に平行する縦方向上において第１ソケット端子組み込み位置及び第２ソケット端子組み込み位置が一対一対応となっている。各第１ソケット端子は、第１ソケット端子組み込み位置のうちのいずれかに組み込まれ、第１ソケット端子が少なくとも一対の第１信号伝送ソケット端子を含み、該第１信号伝送ソケット端子対が横方向に沿って隣接して配列される。各第２ソケット端子は、第２ソケット端子組み込み位置のうちのいずれかに組み込まれ、第２ソケット端子が少なくとも一対の第２信号伝送ソケット端子を含み、該第２信号伝送ソケット端子対が隣接して配列され、かつ該第１信号伝送ソケット端子対と該第２信号伝送ソケット端子対の横方向に沿う位置が、平行移動される。
【０００７】
上記問題点に鑑み、本考案は、プラグコネクタとソケットコネクタと、を包括するコネクタアセンブリを更に提供する。プラグコネクタは、絶縁本体と複数の第１プラグ端子と複数の第２プラグ端子と、を包括する。絶縁本体は、底壁と第１側壁と第２側壁と２つの端壁とを包括し、第１側壁及び第２側壁が各々底壁の２つの横方向側から上向きに延出し、２つの端壁が底壁の２つの縦方向側から上向きに延出し、第１側壁が第２側壁に対応し、２つの端壁が各々第１側壁及び第２側壁に連結し、挿設空間を画成する。第１側壁上に複数の第１プラグ端子組み込み位置を備え、第２側壁上に複数の第２プラグ端子組み込み位置を備え、かつ第１プラグ端子組み込み位置と第２プラグ端子組み込み位置が端壁に平行する縦方向上において一対一対応となっている。各第１プラグ端子は、第１プラグ端子組み込み位置のうちのいずれかに組み込まれ、かつ第１プラグ端子が少なくとも一対の第１信号伝送プラグ端子を含み、第１信号伝送プラグ端子対が隣接して配列される。各第２プラグ端子は、第２プラグ端子組み込み位置のうちのいずれかに組み込まれ、かつ第２プラグ端子が少なくとも一対の第２信号伝送プラグ端子を含み、第２信号伝送プラグ端子対が横方向に沿って隣接して配列され、かつ該第１信号伝送プラグ端子対と該第２信号伝送プラグ端子対の横方向に沿う位置が、平行移動される。ソケットコネクタは、絶縁基部と複数の第１ソケット端子と複数の第２プラグ端子と、を包括する。絶縁基部は、底板と第１側板と第２側板と舌板と２つの端板とを含む。第１側板及び第２側板は、各々底板の２つの横方向側から上向きに延出し、舌板が底板から上向きに延出し、かつ第１側板及び第２側板に平行となり、２つの端板が各々底板の２つの縦方向側から上向きに延出し、かつ各々第１側板及び第２側板に連結して組み込み空間を画成し、舌板が組み込み空間内に位置し、かつ舌板が該挿設空間に対応し、舌板の両側に各々複数の第１ソケット端子組み込み位置と複数の第２ソケット端子組み込み位置とを備え、端板に平行する縦方向上において第１ソケット端子組み込み位置及び第２ソケット端子組み込み位置が一対一対応となっている。各第１ソケット端子は、第１ソケット端子組み込み位置のうちのいずれかに組み込まれる。第１ソケット端子は、少なくとも一対の第１信号伝送ソケット端子を含み、該第１信号伝送ソケット端子対が横方向に沿って隣接して配列される。各第２ソケット端子は、第２ソケット端子組み込み位置のうちのいずれかに組み込まれ、第２ソケット端子が少なくとも一対の第２信号伝送ソケット端子を含み、該第２信号伝送ソケット端子対が隣接して配列され、かつ該第１信号伝送ソケット端子対と該第２信号伝送ソケット端子対の横方向に沿う位置は、平行移動され、かつ第１信号伝送ソケット端子が第１信号伝送プラグ端子に対応し、第２信号伝送ソケット端子が第２信号伝送プラグ端子に対応している。
【考案の効果】
【０００８】
ここでボードツーボードプラグコネクタ及びボードツーボードソケットコネクタ内の信号伝送端子の配置（ｐｉｎ  ａｓｓｉｇｎｍｅｎｔ）調整を通じてずらして配列させることで、信号伝送プラグ端子間のクロストークを低減させることができるため、構成要素の追加又はボードツーボードプラグコネクタの構造変更の必要もなく、クロストーク減少効果を奏することができる。よって、全体的な製造コストを大幅に削減でき、納品速度もアップすることができる。
【０００９】
以下に、実施形態において本考案の詳細な特徴及び利点を詳述し、その内容は当業者に本考案の技術内容について十分理解してもらうと共にこれをもって実施できる。且つ本明細書で開示される内容、実用新案登録請求の範囲及び図面に基づくと、当業者も簡単に本考案に係わる目的及び利点を理解できる。
【図面の簡単な説明】
【００１０】
【図１Ａ】ボードツーボードプラグコネクタの立体図である。
【図１Ｂ】ボードツーボードプラグコネクタの別の角度から見た立体図である。
【図２Ａ】実施例１に係るボードツーボードソケットコネクタの端子配列を示す模式図である。
【図２Ｂ】実施例２に係るボードツーボードソケットコネクタの端子配列を示す模式図である。
【図２Ｃ】実施例３に係るボードツーボードソケットコネクタの端子配列を示す模式図である。
【図３Ａ】ボードツーボードプラグコネクタのクロストーク低減効果の比較図である。
【図３Ｂ】ボードツーボードプラグコネクタのクロストーク低減効果の比較図である。
【図４Ａ】その他の実施例に係るボードツーボードソケットコネクタの端子配列を示す模式図である。
【図４Ｂ】その他の実施例に係るボードツーボードソケットコネクタの端子配列を示す模式図である。
【図４Ｃ】その他の実施例に係るボードツーボードソケットコネクタの端子配列を示す模式図である。
【図５Ａ】ボードツーボードソケットコネクタの立体図である。
【図５Ｂ】ボードツーボードソケットコネクタの別の角度から見た立体図である。
【図６】ボードツーボードコネクタアセンブリの立体図である。
【考案を実施するための形態】
【００１１】
図１Ａは、ボードツーボードプラグコネクタの立体図である。図１Ｂは、ボードツーボードプラグコネクタの別の角度から見た立体図である。図１Ａ及び図１Ｂに示すように、ボードツーボードプラグコネクタ１は、絶縁本体１０と複数の第１プラグ端子２０と複数の第２プラグ端子３０とを包括する。絶縁本体１０は、底壁１１と第１側壁１３と第２側壁１５と２つの端壁１７とを包括する。第１側壁１３及び第２側壁１５は、各々底壁１１の２つの横方向側１１１から上向きに延出し、２つの端壁１７が底壁１１の２つの縦方向側１１３から上向きに延出し、更に横方向と直交する縦方向に沿って延出でき、ここで横方向とは横方向側１１１に平行する方向をいう。第１側壁１３は、第２側壁１５に対応し、２つの端壁１７が各々第１側壁１３及び第２側壁１５に連結し、第１側壁１３、第２側壁１５、及び２つの端壁１７で挿設空間１９を画成する。第１側壁１３上は、複数の第１プラグ端子組み込み位置１３１を含み、第２側壁１５上が複数の第２プラグ端子組み込み位置１５１を含み、第１プラグ端子組み込み位置１３１と第２プラグ端子組み込み位置１５１が端壁１７に平行する方向に一対一対応となっている。
【００１２】
第１プラグ端子２０及び第２プラグ端子３０は、逆Ｕ字型の形状として各々第１プラグ端子組み込み位置１３１及び第２プラグ端子組み込み位置１５１に組み込まれる。ここで第１プラグ端子組み込み位置１３１及び第２プラグ端子組み込み位置１５１の数量は、第１プラグ端子２０及び第２プラグ端子３０の数量より多くすることができ、すなわち、第１プラグ端子組み込み位置１３１及び第２プラグ端子組み込み位置１５１上に空いた位置が存在してもよい。第１プラグ端子２０は、少なくとも一対の第１信号伝送プラグ端子２１を含む。該第１信号伝送プラグ端子２１対は、隣接して配列される。第２プラグ端子３０は、少なくとも一対の第２信号伝送プラグ端子３１を含み、該第２信号伝送プラグ端子３１対が隣接して配列され、かつ該第１信号伝送プラグ端子２１対及び該第２信号伝送プラグ端子３１対の横方向に沿う端壁１７に平行する方向における位置は平行移動される。ここで、該第１信号伝送プラグ端子２１対及び該第２信号伝送プラグ端子３１対の端壁１７に平行する縦方向における位置はずらされることを示している。言い換えると、該第１信号伝送プラグ端子２１対のうちの少なくともいずれか１つが第２信号伝送プラグ端子３１の位置に揃われていない。
【００１３】
図２Ａは、実施例１に係るボードツーボードソケットコネクタの端子配列を示す模式図である。図２Ｂは、実施例２に係るボードツーボードソケットコネクタの端子配列を示す模式図である。図２Ｃは、実施例３に係るボードツーボードソケットコネクタの端子配列を示す模式図である。図１Ａ及び図１Ｂを同時に参照すると、図２Ａ乃至図２Ｃにおいて、４０本の端子（ｐｉｎ）のボードツーボードソケットコネクタ１を例示し、すなわち、ボードツーボードソケットコネクタ１は２０個の第１プラグ端子２０と２０個の第２プラグ端子３０とを備える。ここで第１信号伝送プラグ端子２１対は、ＳＳ＿１＋、ＳＳ＿１−、ＳＳ＿３＋、ＳＳ＿３−、ＳＳ＿５＋、ＳＳ＿５−等で示され、第２信号伝送プラグ端子３１対がＳＳ＿＋、ＳＳ＿２−、ＳＳ＿４＋、ＳＳ＿４−、ＳＳ＿６＋、ＳＳ＿６−等で示される。実際、第１プラグ端子２０は、一対又は多対の第１信号伝送プラグ端子２１を含むことができ、第２プラグ端子３０が一対又は多対の第２信号伝送プラグ端子３１を含むことができ、図内において例示のみであって、端子の配列は、これに限られるものではない。
【００１４】
図２Ａに示すように、第１側壁１３及び第２側壁１５に平行する横方向において、該第２信号伝送プラグ端子３１対は、該第１信号伝送プラグ端子２１対に対して第２プラグ端子組み込み位置１３１が１つずつ平行移動する。言い換えると、縦方向において、該第１信号伝送プラグ端子２１対のうちのいずれかは第２信号伝送プラグ端子３１の位置に揃え、もう１つが揃われていない。
【００１５】
図２Ｂに示すように、第１側壁１３及び第２側壁１５に平行する横方向において、該第２信号伝送プラグ端子３１対は、該第１信号伝送プラグ端子２１対に対して第２プラグ端子組み込み位置１３１が２つずつ平行移動する。言い換えると、縦方向において、該第１信号伝送プラグ端子２１対のうちの２つは、第２信号伝送プラグ端子３１の位置にいずれも揃えていない。２Ｃに示すように、該第２信号伝送プラグ端子３１対は、該第１信号伝送プラグ端子２１対に対して横方向に沿って第２プラグ端子組み込み位置１３１が３つずつ平行移動する。端子組み込み位置の数量が同一であるため、図２Ｃの実施例において、第１信号伝送プラグ端子２１対及び第２信号伝送プラグ端子３１対の数量が図２Ａ及び図２Ｂの実施例より少ない。実際の信号端子数量の配置によって第２信号伝送プラグ端子３１の該第１信号伝送プラグ端子２１対に対してずらす距離を調整できる。
【００１６】
更に、再度図１、図２Ａ乃至２Ｃを参照すると、第１プラグ端子２０は、第１接地プラグ端子２３を更に含み、第１接地プラグ端子２３が該第１信号伝送プラグ端子２１対の一側に位置する。図２Ａ乃至２Ｃにおいて、ＧＮＤで接地プラグ端子を示す。第１接地プラグ端子２３は、更に第１信号伝送プラグ端子２１の両側に設けられることができる。類似的に、第２プラグ端子３０も第２接地プラグ端子３３を含むことができ、第２接地プラグ端子３３が第２信号伝送プラグ端子３１対の一側又は両側に位置する。実際、第１プラグ端子２０は、第１電源プラグ端子（図示せず）を更に含むことができ、第２プラグ端子３０が第２電源プラグ端子（図示せず）を更に含むことができる。ここで例示するだけで、これに限られるものではない。
【００１７】
図３Ａ及び図３Ｂは、ボードツーボードプラグコネクタのクロストーク低減効果の比較図である。図３Ａ及び図３Ｂに示すように、図３Ａは、図２Ｂの実施例のエネルギー応答図を示し、また図３Ｂが第２信号伝送プラグ端子３１と第１信号伝送プラグ端子２１の位置が互いに対応しているエネルギー応答図である。横軸は、周波数（ＧＨｚ）に対応し、縦軸がデシベル（ｄＢ）で、測定強度に対応し、また曲線下の面積が信号伝送時、外部から測定したクロストークによるエネルギーに対応している。図３Ａ、図３Ｂに示すように、第１信号伝送プラグ端子２１対及び第２信号伝送プラグ端子３１対がずれている際、クロストークを効果的に低減できることが明らかに分かる。また、実際に測定した結果によれば、第１信号伝送プラグ端子２１対及び第２信号伝送プラグ端子３１対の平行移動距離が増加した場合、曲線下の面積が減少し、より一層効果的にクロストークを低減できる。
【００１８】
図４Ａ乃至図４Ｃは、その他の実施例に係るボードツーボードソケットコネクタの端子配列を示す模式図である。ここでボードツーボードプラグコネクタは、図２Ａ乃至２Ｃに示すピン数に限られず、図４Ａに示すよな２４ｐｉｎでもよく、すなわち、上下列には各々１２個の第１プラグ端子２０と第２プラグ端子３０とを含む。また図４Ｂのような３０ｐｉｎとすることもよく、上下列には１５個の第１プラグ端子２０と第２プラグ端子３０とを含む。また図４Ｃに示すような６０ｐｉｎとすることもでき、上下列には各々３０個の第１プラグ端子２０と第２プラグ端子３０とを含む。以上はよく見られる例示だけであり、実際の端子数量、端子配列は、実際の需要に応じて設置される。ただし、第１信号伝送プラグ端子２１対は、第２信号伝送プラグ端子３１対に対して位置ずれとなると、クロストークを効果的に低減できる。
【００１９】
図５Ａは、ボードツーボードソケットコネクタの立体図である。図５Ｂは、ボードツーボードソケットコネクタの別の角度から見た立体図である。図５Ａ及び図５Ｂに示すように、ボードツーボードソケットコネクタ４は、絶縁基部４０と複数の第１ソケット端子５０と複数の第２プラグ端子６０とを包括する。絶縁基部４０は、底板４１と第１側板４３と第２側板４５と舌板４７と２つの端板４９とを含む。第１側板４３及び第２側板４５は、各々底板４１の２つの横方向側４１１から上向きに延出し、舌板４７が底板４１から上向きに延出すると共に第１側板４３及び第２側板４５に平行し、第１側板４３と第２側板４５の間に位置する。２つの端板４９は、各々底板４１の２つの縦方向側４１３から上向きに延出すると共に各々第１側板４３及び第２側板４５に連結して、組み込み空間４８を画成し、舌板４７が組み込み空間４８内に位置し、舌板４７の両側が各々複数の第１ソケット端子組み込み位置４７１と複数の第２ソケット端子組み込み位置４７３とを含み、かつ端板４９に平行する縦方向において、第１ソケット端子組み込み位置４７１及び第２ソケット端子組み込み位置４７３が一対一対応となっている。
【００２０】
第１ソケット端子５０は、第１ソケット端子組み込み位置４７１に組み込まれる。ここで第１ソケット端子５０は、Ｕ字型とし、第１ソケット端子組み込み位置４７１及び第１側板４３の第１組み込み孔４３１内に組み込んで固定されることができる。第１ソケット端子５０は、少なくとも一対の第１信号伝送ソケット端子５１を含み、かつ該第１信号伝送ソケット端子５１対が横方向に沿って隣接して配列される。第２ソケット端子６０は、第２ソケット端子組み込み位置４７３に組み込まれ；第２ソケット端子６０は、Ｕ字型とし、第２ソケット端子組み込み位置４７３及び第２側板４５の第２組み込み孔４５１内に組み込んで固定されることができる。第２ソケット端子６０は、少なくとも一対の第２信号伝送ソケット端子６１を含み、該第２信号伝送ソケット端子６１対が横方向に沿って隣接して配列され、かつ該第１信号伝送ソケット端子５１対と該第２信号伝送ソケット端子６１対の端壁４９に平行する縦方向における位置は、ずらされる。
【００２１】
ボードツーボードソケットコネクタ４は、ボードツーボードプラグコネクタ１と互いに組み込むため、該第１信号伝送ソケット端子５１対及び第２信号伝送ソケット端子６１対の配列（ｐｉｎ  ａｓｓｉｇｎｍｅｎｔ）は、該第１信号伝送プラグ端子２１対のうちの２つ及び第２信号伝送プラグ端子３１に対応している。第１信号伝送ソケット端子５１及び該第２信号伝送ソケット端子６１対の配列（ｐｉｎ  ａｓｓｉｇｎｍｅｎｔ）は、図２Ａ乃至２Ｃを参照できるため、ここでその説明を省略する。
【００２２】
更に、ボードツーボードプラグコネクタ１と同じように、ボードツーボードソケットコネクタ４の第１ソケット端子５０は、第１接地ソケット端子５３も更に含み、第１接地ソケット端子５３が該第１信号伝送ソケット端子５１対の一側又は両側に位置する。類似的に、第２ソケット端子６０も、第２接地ソケット端子６３を含むことができ、第２接地ソケット端子６３が第２信号伝送ソケット端子６１の一側又は両側に位置する。実際、第１ソケット端子５０は、第１電源プラグ端子（図示せず）を更に含むことができ、第２ソケット端子６０が第２電源プラグ端子（図示せず）を更に含むことができる。ここで例示するだけで、これに限られるものではない。
【００２３】
図６は、ボードツーボードコネクタアセンブリの立体図である。図６に示すように、ボードツーボードコネクタアセンブリ１００は、前記ボードツーボードプラグコネクタ１とボードツーボードソケットコネクタ４とを含み、ソケットコネクタ４の絶縁基部４０の舌板４７が、プラグコネクタ１の絶縁基部１０の挿設空間１９に対応している。該第１信号伝送ソケット端子５１対は、該第１信号伝送プラグ端子２１対に対応し、該第２信号伝送ソケット端子６１対が該第２信号伝送プラグ端子３１対に対応している。組み込まれた後、舌板４７が挿設空間１９の中に挿設され、第１信号伝送ソケット端子５１と第１信号伝送プラグ端子２１が接触し、第２信号伝送ソケット端子６１と第２信号伝送プラグ端子３１が接触し、その他の技術的特徴は、前述とほぼ同じであるため、ここでその説明を省略する。
【００２４】
上記実施例において、ボードツーボードプラグコネクタ及びボードツーボードソケットコネクタ内の信号伝送端子の配置（ｐｉｎ  ａｓｓｉｇｎｍｅｎｔ）調整を通じてずらして配列させることで、信号伝送プラグ端子間のクロストークを低減させることができるため、構成要素の追加又はボードツーボードプラグコネクタの構造変更の必要もなく、クロストーク減少効果を奏することができる。よって、全体的な製造コストを大幅に削減でき、納品速度もアップすることができる。
【００２５】
以上考案の詳細な説明の項を通じて本考案の目的及び効果に実施の進歩性を有し、極めて産業上の利用可能性を有し、完全に特許要件に適合することを十分示すことができるため、法律に基づいて出願を提出する。ただし、以上述べたのは、僅か本考案の好ましい実施例だけであって、本考案の実施範囲を限定することはない。本考案の実用新案登録請求の範囲を脱しない均等の範囲内で各種の変更や修飾を加えることは、本考案の実用新案でカバーする範囲内に属し、審査官は、何卒ご審理の上、速やかに実用新案登録賜りますようお願いする次第であります。
【符号の説明】
【００２６】
１            ボードツーボードプラグコネクタ
１０            絶縁本体
１１            底壁
１３            第１側壁
１５            第２側壁
１７            端壁
１９            插設空間
１００            ボードツーボードコネクタアセンブリ
１１１            横方向側
１１３            縦方向側
１３１            第１プラグ端子組み込み位置
１５１            第２プラグ端子組み込み位置
２０            第１プラグ端子
２１            第１信号伝送プラグ端子
２３            第１接地プラグ端子
３０            第２プラグ端子
３１            第２信号伝送プラグ端子
３３            第２接地プラグ端子
４            ボードツーボードソケットコネクタ
４０            絶縁基部
４１            底板
４１１            横方向側
４１３            縦方向側
４３            第１側板
４３１            第１組み込み孔
４５            第２側板
４７            舌板
４７１            第１ソケット端子組み込み位置
４７３            第２ソケット端子組み込み位置
４８            組み込み空間
４９            端板
５０            第１ソケット端子
５１            第１信号伝送ソケット端子
５３            第１接地ソケット端子
６０            第２ソケット端子
６１            第２信号伝送ソケット端子
６３            第２接地ソケット端子
【図１Ａ】
0003219628.tif 000003
【図１Ｂ】
0003219628.tif 000004
【図２Ａ】
0003219628.tif 000005
【図２Ｂ】
0003219628.tif 000006
【図２Ｃ】
0003219628.tif 000007
【図３Ａ】
0003219628.tif 000008
【図３Ｂ】
0003219628.tif 000009
【図４Ａ】
0003219628.tif 000010
【図４Ｂ】
0003219628.tif 000011
【図４Ｃ】
0003219628.tif 000012
【図５Ａ】
0003219628.tif 000013
【図５Ｂ】
0003219628.tif 000014
【図６】
0003219628.tif 000015